(57)【特許請求の範囲】
【請求項１】
板状をなすブロック本体（２）の表面に、その縁部（２ａ）との間に表面部（２ｂ）を残置して凹部（３）が設けられ、該凹部（３）を左右に分割すべきリブ（４）が、相対して凹部（３）を形成する夫々傾斜面状の上側内壁（３ｂ）と下側内壁（３ｃ）にわたり少なくとも１以上突設され、その突出高さが凹部（３）の縁部（３ａ）よりも低いか又は高くなされ、リブ（４）の下方部で凹部（３）の下側内壁（３ｃ）上に位置する部分からブロック本体（２）をその厚み方向に裏面側へ貫通する水抜き孔（５）を設けてなることを特徴とする護岸用大型ブロック。
【発明の詳細な説明】
【０００１】
【発明の属する技術分野】
本発明は、護岸用大型ブロックに関するものであり、詳しくは、表面の粗度係数が大きく、また上下方向の耐圧性に優れた護岸用大型ブロックに関するものである。
【０００２】
【従来の技術】
従来、護岸用ブロックとしては、方形板状のブロックの表面ほぼ全体にわたって凹部が設けられたものや、方形板状のブロックの平坦な表面に、リブをＶ字状やＸ字状等に突設したものがある。
【０００３】
【発明が解決しようとする課題】
しかしながら、上記表面に凹部が設けられた護岸用ブロックは、例えば縦、横の長さが各５０ｃｍ程度以下の大きさの通常のブロックにあっては、法面に敷設してもその凹部が適度に点在し、護岸面の凹凸起伏を激しくしてその粗度係数を大きくすることができ、河川の流速を緩和して水勢を減衰できる等その効果が期待できるが、上記以上の大きさ、例えば縦又は横の長さが１ｍ程度或いはそれ以上として施工の省力化を図った大型ブロックにあっては、凹部の面積が飛躍的に広くなるために、護岸面を形成しても平滑面が増して表面の粗度係数が小さくなり、通常のブロックに比しその効果が減少するとともに、敷設時において、凹部中央付近における上下方向の耐圧性に劣るという問題点があった。
【０００４】
しかも、大型ブロックにあっては、面積の広い凹部内に積もった雪や該所内で凍結した氷等が融解時に大きい形のまま滑落して、護岸面上又はその付近にいる人を傷つけるおそれもあり、安全性の面でも不十分な問題点があった。
又、上記表面にリブが突設された護岸用ブロックは、そのリブが土留めのために設けられた覆土護岸専用のものであって、上記した通常の護岸用ブロック、大型ブロックとは全くその目的を異にするものである。
【０００５】
本発明は、かかる従来の問題点に鑑みてなされたものであって、表面の粗度係数が大きく、敷設時の上下方向の耐圧性に優れた護岸用大型ブロックを提供することを課題とする。
【０００６】
【課題を解決するための手段】
上記課題を解決するために、本発明の護岸用大型ブロックは、板状をなすブロック本体２の表面に、その縁部２ａとの間に表面部２ｂを残置して凹部３が設けられ、該凹部３を左右に分割すべきリブ４が、相対して凹部３を形成する夫々傾斜面状の上側内壁３ｂと下側内壁３ｃにわたり少なくとも１以上突設され、その突出高さが凹部３の縁部３ａよりも低いか又は高くなされ、リブ４の下方部で凹部３の下側内壁３ｃ上に位置する部分からブロック本体２をその厚み方向に裏面側へ貫通する水抜き孔５を設けてなることを特徴とする。
【０００７】
かかる本発明の護岸用大型ブロックによれば、ブロック本体２の凹部３にその突出高さを該凹部３の縁部３ａよりも低いか又は高くして設けたリブ４が凹部３を細分化するとともに、河川の流水と直交せる表面部２ｂと高さが異なった障壁をなして表面の粗度係数を大きくすることができ、河川の流速を効果的に緩和して水勢を減衰でき、治水や生態系保全等に役立つ。また、法面に敷設した際には、互いに隣接するブロックの自重等による上下方向からの圧縮力に対してリブ４が補強効果を発揮し、その耐圧性を向上させることができる。しかも、広い面積の凹部３がリブ４によって左右に分割されるため、該分割された凹部３内に雨水、土砂、ゴミ等が溜まりにくく、又、凹部３内での積雪及び氷結量を少なくでき、融解時にたとえこれらが滑落しても、その量や形が小さいことから、護岸面やその付近にいる人を傷つけるおそれがほとんどなく、親水性及び安全性を確保することができる。
【０００８】
又、かかる本発明の護岸用大型ブロックによれば、リブ４の下方部で凹部３の下側内壁３ｃ上に位置する部分からブロック本体２をその厚み方向に裏面側へ貫通する水抜き孔５を設けてなるために、護岸面背土の浸透水や含水等の排水に際して、背土に接するブロック本体２の裏面側からリブ４の表面側、即ちブロック本体２のできるだけ下側且つ表面側に直接排水することができ、排水効率を向上させることができる。又、リブ４によって凹部３部分よりも分厚く形成された部分に水抜き孔５を設けることから、水抜き孔５によりブロック本体２の強度が損なわれるようなことがない。
【０００９】
【発明の実施の形態】
以下、図面を参照しながら本発明の実施の形態について説明する。
図１は本発明の護岸用大型ブロックの水抜き孔を具備しない一実施の形態を示し、１は大型ブロックであって、隅切方形板状のブロック本体２の表面に、その縁部２ａとの間に表面部２ｂを額縁状に残置して凹部３が設けられ、該凹部３を左右に分割する真直ぐなリブ４が、相対して凹部３を形成する上側内壁３ｂと下側内壁３ｃにわたって突設されてなる。
【００１０】
上記ブロック本体２は、図１（ロ）に示す如く、その上下左右の側壁２ｄに、各隅切部の両側に位置する凸部２ｅが設けられるとともに、各凸部２ｅ間に側壁２ｄの長さ方向に沿う凹溝２ｆが設けられており、上記凸部２ｅは、後述するように大型ブロック１の敷設時に互いに当接して隣接するブロック本体２間に合端コンクリート９充填用の合端空所１０を形成するために設けられ、又、凹溝２ｆは大型ブロック１の運搬や敷設時の吊具係止用や上記合端コンクリート９とブロック本体２の結合を強固にするために設けられる。
【００１１】
又、上記ブロック本体２は、図１（ハ）及び（ホ）に示す如く、その表面に縁部２ａと連設する段状の肩部６（後述するコテの係止部をなす）がその外周縁に沿って設けられており、上記敷設時に互いに隣接するブロック本体２間に充填する合端コンクリート９の仕上げ高さ位置を示すものである。尚、図１（ヘ）に示す如く、ブロック本体２の縁部２ａが隅角状や少許の隅切状（破線で示す）となされ、肩部６がこれに連設してもよい。
【００１２】
又、上記ブロック本体２内には、例えば図１３に示す如き所定形状の締結用鉄筋７が配筋され、該締結用鉄筋７のほぼＶ形状の吊杆状をなす各締結端部７ａがブロック本体２の各隅切状の隅部側壁２ｃから外方に突出され、各締結端部７ａが大型ブロック１の敷設時に互いに隣接するブロック本体２の連結部位となされる。
【００１３】
上記凹部３は、その縁部３ａをブロック本体２の縁部２ａにほぼ沿うようにしてブロック本体２の表面に額縁状の表面部２ｂを残置して設けられ、該凹部３を形成する下側内壁３ｃが、図１（ロ）及び（ニ）に示す如く、急傾斜面をなす上側内壁３ｂよりも法幅が広い緩傾斜面となされ、凹部３内に雨水、土砂、ゴミ等が溜まり難くなされるとともに、たとえ溜まっても容易に排出できる形状となされている。
上記リブ４は、凹部３のほぼ中央部において凹部３を左右にほぼ２等分する如く真直ぐな棒状として隆起状に設けられ、その突出高さは凹部３の縁部３ａよりも若干低くなされ、その側面は傾斜面となされており、ブロック本体２の面粗度を粗くしている。
【００１４】
しかして、本実施の形態の大型ブロック１は、例えば図４に示す如く、法面Ｇに敷設される際、互いに隣接する大型ブロック１のブロック本体２の側壁２ｄに設けた凸部２ｅどうしが当接されてブロック本体２間に合端空所１０が形成されるとともに、上記当接する凸部２ｅと隅切状の隅部側壁２ｃによって囲まれた矩形をなす合端空所１０内において、図５（イ）及び（ロ）に示す如く、隅部側壁２ｃに突出した各締結端部７ａが重ね合わされ、例えばその重合部にＴ形状をなすブロック連結具２６等が各締結端部７ａを貫通して挿通されることにより連結され、上記各合端空所１０に合端コンクリート９が充填されて連結一体化される。
【００１５】
又、上記大型ブロック１によれば、上記合端コンクリート９の充填時に、ブロック本体２間に形成された合端空所１０で、隣接するブロック本体２の縁部２ａと連設する肩部６が互いに離隔してほぼ面一状になされ、合端コンクリート９の充填高さ位置の目印となり、図６（イ）及び（ロ）に示す如く、コテ１１のコテ板１１ａの両縁部を互いに隣接するブロック本体２間で平行せる肩部６の上面に係止、当接して摺動させれば、図４（ニ）に示す如く、コテ仕上げによる合端コンクリート９の表面を肩部６とほぼ面一状に容易且つ迅速、美麗に仕上げることができる。又、上記の他、コテ板１１ａが小さい場合にあっても、図６（ハ）に示す如く、コテ板１１ａの片方縁部を平行せる一方の肩部６の上面に係止、当接して摺動させた後、他方側へ移行させコテ板１１ａのもう片方縁部を他方の肩部６の上面に係止、当接してコテ１１を摺動させれば、上記と同様の効果が得られる。
【００１６】
また、本実施の形態の大型ブロック１が、法面Ｇに多数個敷設されて構築された護岸面は、各大型ブロック１のリブ４が凹部３を細分化すると共に、護岸面の上下方向に向け延設されて河川の流水と直交し、且つ表面部２ｂと高さが異なる障壁をなすため、従来の護岸用の通常ブロックにも劣らぬ大きな表面粗度係数を有することとなる。また、リブ４は、上下方向からの大型ブロック１の自重等による圧縮力に対して補強効果を発揮し、護岸面全体の耐圧性を向上させるとともに、広い面積の凹部３を左右に分割して、該分割された凹部３内に雨水、土砂、ゴミ等を溜まりにくくし、しかも、凹部３内での氷結や積雪量を少なくして、融解時にたとえこれらが滑落しても、その量や形を小さくせしめることから、護岸面やその付近にいる人を傷つけるおそれがほとんどない、安全な護岸面を構成するのである。
【００１７】
図２は本発明の護岸用大型ブロックの一実施の形態を示し、上記図１に示す大型ブロック１のリブ４に、ブロック本体２を貫通する水抜き孔５を設けてなり、その他は図１の大型ブロック１と同様であるためその説明は省略する。
上記水抜き孔５は、図２（イ）に示すように、リブ４の下方部、即ちリブ４が凹部３を形成する下側内壁３ｃ上に位置する部分以内から、図２（ロ）に示すように、ブロック本体２をその厚み方向で斜め上方向に貫通し裏面側に開口して設けられている。
【００１８】
本実施の形態の大型ブロック１にあっては、例えば図４（イ）及び（ロ）に示すように法面Ｇに敷設されると、図４（ハ）に示すように、護岸面背土（法面Ｇ）の浸透水や含水等の水Ｗが水抜き孔５を通してブロック本体２のリブ４の表面側、即ちブロック本体２の下側且つ表面側に近い位置に直接的に排水され、例えて、表面から凹陥せる凹部３に排水するものと比較して遥に排水効率がよい。また、リブ４によって凹部３よりも厚肉となされた部分に水抜き孔５を設けることから、水抜き孔５によってブロック本体２の強度を損なうようなことがない。
尚、上記水抜き孔５を具備した大型ブロック１の敷設に際し、図４（ロ）及び（ハ）に示す如く、水抜き孔５の裏面側開口と接する法面Ｇにフィルター材Ｆを配せば、水抜きパイプを要せずに好適な排水処理が行える。
【００１９】
図３は本発明の護岸用大型ブロックの水抜き孔を具備しない他実施の形態を示し、上記図１に示す大型ブロック１の縦長さをほぼ半分にし、ブロック本体２の左右の縦側壁２ｄに凹溝２ｆを設けずに、該側壁２ｄのほぼ中央部に側面視円形の係止凹部２ｈ（前記凹溝２ｆと同様に大型ブロック１ａの運搬、敷設時の吊具係止用や合端コンクリート９とブロック本体２の結合を強固にする）を設けたものであって、その他は図１の大型ブロック１と同様であるためその説明は省略する。尚、本実施の形態の大型ブロック１ａは、上記のように縦長さを短くしたため、ブロック本体２内に配筋される締結用鉄筋７も図１４に示す如く、その形状が図１の大型ブロック１に使用されたものと異なる。
尚又、上記側壁２ｄに係止凹部２ｈを設ける構成は、図２（ハ）に示す如く、前記大型ブロック１（水抜き孔５を具備したものも含む）の側壁２ｄにも採用可能であり、かかる実施の形態では凹溝２ｆと併設されてなる。又、その凹陥形状は自由であり、例えて側面視方形、多角形、楕円形等、その大きさを含めて適宜に変更できる。
【００２０】
本実施の形態の大型ブロック１ａにあっては、縦長さが短くなったため、凹部３の面積も小さくなり、且つリブ４によって左右に分割されることから、例えば図４や図７に示すような体裁を呈し、護岸面の一部又は全面を形成してその表面粗度係数を大きくする、凹部３への堆積物量を減少させる等、前記大型ブロック１により構築された護岸面と同様に優れた水理特性、安全性及び親水性を発揮する利点がある。
尚、図４における大型ブロック１ａは大型ブロック１による護岸面の法長さ調整に使用されている。又、図７に示す大型ブロック１ａは、リブ４に水抜き孔５を設けたもの（本発明の護岸用大型ブロックの他実施の形態をなす）と共に護岸面全面に敷設され、且つブロック本体２の上側、下側の側壁２ｄの長さ方向のほぼ中央部にも締結用鉄筋７の締結端部７ａが突設され、レンガ積み状に配列した互いに隣接するブロック本体２どうしを連結しうるようになされている。尚又、図４における１ｂはリブ無しの縦長状大型ブロックを示す。
【００２１】
尚、上記各実施の形態においては、ブロック本体２の形状は隅切方形となされているが、これに限定されることなく、例えば方形、隅丸方形、多角形、円形等適宜形状であってもよい。また、ブロック本体２は、上記各実施の形態のように張ブロックをなすべくその裏面は平面であってもよいし、法面との一体性を増すための突起体やアンカーが突設されてもよく、或いは積みブロックをなすべく、例えば図１２（イ）に示すように、裏面に控体２ｇが適宜形状で突設されてもよい。又、ブロック本体２の側壁２ｄには、例えば図８に示す如く、凸部２ｅと凹溝２ｆを夫々平面視鉤の手状に連設して設けてもよいし、図１０や図１１に示す如く凹溝２ｆがなくともよい。更に、側壁２ｄに突設した凸部２ｅは、例えば図１０に示す如く段状に側壁２ｄの長さ方向に連続していてもよい。
【００２２】
又、上記各実施の形態においては、ブロック本体２の側壁２ｄに凸部２ｅを設け、敷設時に該凸部２ｅどうしが当接されて隣接するブロック本体２間に合端コンクリート９の充填用の合端空所１０を形成するようになされているが、これに限定されるものではない。例えば図８に示す如く、ブロック本体２の側壁２ｄに、上記したように凸部２ｅと凹溝２ｆを夫々平面視鉤の手状に連設して設けるとともに、凹溝２ｆ内にその長さ方向にわたってパッキン材２０を取り付けておき、図９に示す如く、レンガ積み状或いは格子積み状の配列をもって法面Ｇに敷設される際、互いに隣接する大型ブロック１等のブロック本体２の側壁２ｄに設けた凸部２ｅと凹溝２ｆとを互いに嵌合させるとともに、図９（ハ）に示すように、凸部２ｅによって凹溝２ｆ内のパッキン材２０を圧着し、凸部２ｅと凹溝２ｆ間に挟着させて全接合部を水密状態となすこともできる。
尚、この場合は、パッキン材２０を介在せる凹溝２ｆと凸部２ｅとの凹凸嵌合によりブロック相互間の一体性と水密性を確保してなるために、上記締結用鉄筋７、ブロック連結具２６や合端コンクリート９等の副資材を全く用いずとも堅固な護岸面が構築できると同時に、施工の迅速化及びコスト縮減に寄与するという有益なる効果をも奏する。
【００２３】
又、凹部３は、上記各実施の形態において、その縁部３ａの全周にわたってブロック本体２の縁部２ａとの間に表面部２ｂを額縁状に残置して設けられているが、これに限定されることなく、凹部３の縁部３ａの周囲の一部に上記表面部２ｂを残置して設けられてもよいし、表面部２ｂを設けずにブロック本体２の縁部２ａから直接的に設けられてもよい。又、凹部３の縁部３ａはブロック本体２の縁部２ａに必ずしも沿う必要はなく、凹部３内にできるだけ堆積物が生じにくい適宜形状であればよい。
【００２４】
リブ４は、単体で突設されてもよいし、適宜複数突設されてもよく、その突設位置についても凹部３の任意位置であればよく、又、図１０、図１１に示すように、凹部３の縁部３ａの上端から下端まで、即ち相対して凹部３を形成する上側内壁３ｂと下側内壁３ｃ間の全長にわたって突設されてもよいし、図１０に示す如く、縁部３ａを越えてブロック本体２の表面部２ｂに至ってもよい。又、リブ４は、凹部３を左右に分割するようになされておればよく、上記各実施の形態に示すように平面視垂直状に設ける他、斜め状や屈曲状或いは適宜曲線状に設けてもよいし、その幅及び突設間隔も長さ方向にわたってほぼ均一状であってもよいし、適宜異なっていてもよい。
【００２５】
例えば、図１２（イ）及び（ロ）に示す積みブロックをなす各大型ブロック１においては、図１２（イ）の場合には、２本の垂直状のリブ４が凹部３を左右に３等分する如く平行に設けられ、図１２（ロ）の場合には、３本の斜め方向のリブ４が凹部３を左右に４等分する如く平行に設けられ、それぞれ河川の水勢に応じた適切な表面粗度係数が得られるべく配設されてなる。
又、リブ４の表面は、平面状となされる他、例えば図１０や図１１に示すように、ブロック本体２の表面よりも突出する弧状、山形状等の適宜凸状となされたり、或いは凹凸状となされてもよい。
【００２６】
水抜き孔５は、上記図２に示したようにリブ４の下方部、即ちリブ４が凹部３を形成する下側内壁３ｃ上に位置する部分以内から裏面側に向け設けられるのが効果的に排水でき好ましい。又、その流水断面形状も円形、だ円形、方形、多角形等適宜形状となされて、ブロック本体２の裏面側に貫通されればよい。
【００２７】
又、ブロック本体２に配筋した締結用鉄筋７の形状も上記各実施の形態におけるものに限定されないし、隅部側壁２ｃや外周壁をなす側壁２ｄから突出する締結端部７ａの形状も適宜形状であればよい。又、締結用鉄筋７から締結端部７ａが分離され夫々個別に併設されてもよく、又、分離された締結端部７ａのみを突設し、ブロック本体２が無筋状になされてもよいし、前記締結端部７ａがブロック本体２から突出することなく、ブロック本体２の補強用となされてもよい。
即ち、上記ブロック本体２、凹部３、リブ４、水抜き孔５、締結用鉄筋７及び締結端部７ａの形状、リブ４の数等は上記実施の形態のものに限定されることなく、本発明の意図する範囲内で適宜設計変更可能である。
【００２８】
【発明の効果】
以上詳述した如く、本発明の護岸用大型ブロックは、板状をなすブロック本体の表面に、その縁部との間に表面部を残置して凹部が設けられ、該凹部を左右に分割すべきリブが、相対して凹部を形成する夫々傾斜面状の上側内壁と下側内壁にわたり少なくとも１以上突設され、その突出高さが凹部の縁部よりも低いか又は高くなされてなるために、凹部を細分化するリブによって表面の粗度係数を大きくすることができ、河川の流速を効果的に緩和して水勢を減衰でき、治水や生態系保全等に役立つとともに、法面に敷設した際には、互いに隣接するブロックの自重等による上下方向からの圧縮力に対してリブが補強効果を発揮し、その耐圧性を向上させることができる。
しかも、広い面積の凹部がリブによって左右に分割されるため、該分割された凹部内に雨水、土砂、ゴミ等が溜まりにくく、法面の維持管理が容易にできるとともに、凹部内での積雪及び氷結量を少なくでき、融解時にたとえこれらが滑落しても、その量や形が小さいことから護岸面やその付近にいる人を傷つけるおそれがほとんどなく、親水性及び安全性を確保することができる。
【００２９】
又、本発明の護岸用大型ブロックは、リブの下方部で凹部の下側内壁上に位置する部分からブロック本体をその厚み方向に裏面側へ貫通する水抜き孔を設けてなるために、護岸面背土の浸透水や含水等の排水に際して、ブロック本体の裏面側からリブの表面側、即ちブロック本体のできるだけ下側且つ表面側に直接排水することができ、排水効率を向上させることができる。又、リブによって凹部部分よりも分厚く形成された部分に水抜き孔を設けることから、水抜き孔によりブロック本体の強度が損なわれるようなことがない。
【図面の簡単な説明】
【図１】  本発明の護岸用大型ブロックの水抜き孔を具備しない一実施の形態を示し、（イ）は正面図、（ロ）は平面図、（ハ）は（ロ）のＡ−Ａ断面図、（ニ）は（ロ）のＢ−Ｂ断面図、（ホ）は（ハ）のＣ部拡大図、（ヘ）は同Ｃ部の他の例を示す拡大図。
【図２】  本発明の護岸用大型ブロックの一実施の形態を示し、（イ）は平面図、（ロ）は（イ）のＤ−Ｄ断面図、（ハ）は他の側壁の形態を示す側面図。
【図３】  本発明の護岸用大型ブロックの水抜き孔を具備しない他実施の形態を示し、（イ）は正面図、（ロ）は平面図、（ハ）は側面図、（ニ）は（ロ）のＥ−Ｅ断面図、（ホ）は（ロ）のＦ−Ｆ断面図。
【図４】  本発明の護岸用大型ブロックによって形成された護岸面の例を示し、（イ）の斜め左上部は空積み時の展開図、斜め右下部は練積み時の展開図、（ロ）は（イ）のＧ−Ｇ断面図、（ハ）は（ロ）のａ部拡大図、（ニ）は（イ）のＨ−Ｈ拡大断面図。
【図５】  （イ）はブロック連結具使用時の図４（イ）のｂ部拡大図、（ロ）は（イ）のＹ−Ｙ断面図。
【図６】  （イ）は図４（イ）のＴ部拡大図、（ロ）は（イ）のｇ−ｇ断面図、（ハ）は他のコテ使用例を示す一部拡大断面図。
【図７】  本発明の護岸用大型ブロックによって形成された護岸面の他の例を示し、（イ）の斜め左上部は空積み時の展開図、その余は練積み時の展開図、（ロ）は（イ）のＩ−Ｉ拡大断面図。
【図８】  本発明の護岸用大型ブロックの水抜き孔を具備しない他実施の形態を示し、（イ）は正面図、（ロ）は平面図、（ハ）は（ロ）のＵ−Ｕ断面図、（ニ）は（ロ）のＺ−Ｚ断面図。
【図９】図８の護岸用大型ブロックによって形成された護岸面の例を示し、（イ）は展開図、（ロ）は（イ）のｈ−ｈ断面図、（ハ）は（イ）のｉ−ｉ拡大断面図。
【図１０】  本発明の護岸用大型ブロックの水抜き孔を具備しない他実施の形態を示し、（イ）は正面図、（ロ）は平面図、（ハ）は（ロ）のＪ−Ｊ断面図、（ニ）は（ロ）のＫ−Ｋ断面図。
【図１１】  本発明の護岸用大型ブロックの水抜き孔を具備しない他実施の形態を示し、（イ）は正面図、（ロ）は平面図、（ハ）は（ロ）のＬ−Ｌ断面図、（ニ）は（ロ）のＭ−Ｍ断面図。
【図１２】  （イ）及び（ロ）はそれぞれ本発明の護岸用大型ブロックの水抜き孔を具備しない他実施の形態を示し、（イ）は斜視図、（ロ）は正面図。
【図１３】  本発明の護岸用大型ブロックの締結用鉄筋の例を示す平面図。
【図１４】  本発明の護岸用大型ブロックの締結用鉄筋の他の例を示す平面図。
【符号の説明】
１，１ａ，１ｂ  大型ブロック
２  ブロック本体
２ａ  縁部
２ｂ  表面部
２ｃ  隅部側壁
３  凹部
３ｂ  上側内壁
３ｃ  下側内壁
４  リブ
５  水抜き孔
６  肩部
７  締結用鉄筋
７ａ  締結端部
１０  合端空所
２０  パッキン材
２６  ブロック連結具
【図１】
0003718773.tif 000002
【図２】
0003718773.tif 000003
【図３】
0003718773.tif 000004
【図４】
0003718773.tif 000005
【図５】
0003718773.tif 000006
【図６】
0003718773.tif 000007
【図７】
0003718773.tif 000008
【図８】
0003718773.tif 000009
【図９】
0003718773.tif 000010
【図１０】
0003718773.tif 000011
【図１１】
0003718773.tif 000012
【図１２】
0003718773.tif 000013
【図１３】
0003718773.tif 000014
【図１４】
0003718773.tif 000015